(57)【要約】【課題】非正規ユーザのなりすましによるセキュリティドアのロック解除を確実に防止できるセキュリティドアロック解除システムを提供する。【解決手段】携帯端末としての携帯電話機１１に内蔵された電界通制御用のコンピュータ１１８が最初に、暗証番号認証アプリケーション１２０を起動してディスプレイ１１２に暗証番号入力画面を表示させ、操作部１１０からの暗証番号入力を受け付け、入力暗証番号をあらかじめ登録されている端末ＩＤと共にトランシーバを通じて送信し、電界通信用の設置型トランシーバ６にて端末ＩＤと暗証番号を受信して認証サーバ７に転送し、認証サーバにて、携帯電話機から電界通信にて送信されてきた端末ＩＤと暗証番号とを照合し、両方の照合が共に成立したときにドアロック解除信号を送出してセキュリティドア５のドアロックを解除する。【選択図】      図５
2010088053.tif 000002
【特許請求の範囲】
【請求項１】
電界通信機能を司るトランシーバと、
前記トランシーバの電界通信機能を制御するコンピュータと、
電界通信用信号電極及びグランド電極と、
文字数字入力用の操作部及び情報表示用のディスプレイとを備え、
前記コンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をすることを特徴とする携帯端末。
【請求項２】
前記コンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して前記端末ＩＤと共に送信することを特徴とする請求項１に記載の携帯端末。
【請求項３】
電界通信機能を司るトランシーバと、
前記トランシーバの電界通信機能を制御するコンピュータと、
電界通信用信号電極及びグランド電極と、
文字数字入力用の操作部及び情報表示用のディスプレイとを備え、
前記コンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をすることを特徴とする携帯端末。
【請求項４】
前記コンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して送信することを特徴とする請求項３に記載の携帯端末。
【請求項５】
電界通信機能を司るトランシーバと、前記トランシーバの電界通信機能を制御するコンピュータと、電界通信用信号電極及びグランド電極と、文字数字入力用の操作部及び情報表示用のディスプレイとを備え、前記コンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をする携帯端末と、
前記携帯端末に内蔵されたトランシーバとの間で、前記電界通信用信号電極及びグランド電極を利用して電界通信を行う、ＩＤ認証を必要とする場所に設置された電界通信用の設置型トランシーバと、
前記設置型トランシーバとネットワークを通じて接続され、セキュリティドアのロック・ロック解除を制御する認証サーバとを備え、
前記認証サーバは、前記携帯端末に内蔵されたコンピュータから電界通信にて送信されてきた端末ＩＤと暗証番号とを共に照合し、両照合が成立したときにドアロック解除指令を出力する制御をすることを特徴とするセキュリティドアロック解除システム。
【請求項６】
前記携帯端末におけるコンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して前記端末ＩＤと共に送信することを特徴とする請求項５に記載のセキュリティドアロック解除システム。
【請求項７】
電界通信機能を司るトランシーバと、前記トランシーバの電界通信機能を制御するコンピュータと、電界通信用信号電極及びグランド電極と、文字数字入力用の操作部及び情報表示用のディスプレイとを備え、前記コンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をする携帯端末と、
前記携帯端末に内蔵されたトランシーバとの間で、前記電界通信用信号電極及びグランド電極を利用して電界通信を行う、ＩＤ認証を必要とする場所に設置された電界通信用の設置型トランシーバと、
前記設置型トランシーバとネットワークを通じて接続され、セキュリティドアのロック・ロック解除を制御する認証サーバとを備え、
前記認証サーバは、前記携帯端末に内蔵されたコンピュータから電界通信にて送信されてきた端末ＩＤを照合し、ＩＤ照合が成立したときに前記電界通信を通じて暗証番号認証アプリケーションの起動指令を送信し、かつ、前記電界通信を通じて暗証番号が送られてきたときに暗証番号を照合し、照合が成立したときにドアロック解除指令を出力する制御をすることを特徴とするセキュリティドアロック解除システム。
【請求項８】
前記携帯端末におけるコンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して送信することを特徴とする請求項７に記載のセキュリティドアロック解除システム。
【請求項９】
携帯端末に内蔵されたコンピュータが、電界通信の最初に、暗証番号認証アプリケーションを起動して、前記携帯端末のディスプレイに暗証番号の入力画面を表示させ、前記携帯端末の操作部からの暗証番号入力を受け付け、入力された暗証番号をあらかじめ登録されている端末ＩＤと共に当該携帯端末に内蔵された電界通信用トランシーバを通じて送信し、
電界通信用の設置型トランシーバにて前記端末ＩＤと暗証番号を受信して認証サーバに転送し、
認証サーバにて、前記携帯端末のコンピュータから電界通信にて送信されてきた端末ＩＤと暗証番号を照合し、両方の照合が成立したときにドアロック解除信号を送出することを特徴とするセキュリティドアロック解除方法。
【請求項１０】
前記携帯端末に内蔵されたコンピュータが、電界通信の最初に、暗証番号認証アプリケーションを起動して、前記携帯端末のディスプレイに暗証番号の入力画面を表示させ、前記携帯端末の操作部からの暗証番号入力を受け付け、入力された暗証番号をあらかじめ登録されている端末ＩＤと共に当該携帯端末に内蔵された電界通信用トランシーバを通じて送信し、かつ、前記入力された暗証番号をいったん送信した後は一定時間の間だけ前記暗証番号を記憶しておき、前記操作部からの暗証番号入力の受け付けに代えて記憶している暗証番号を呼び出して前記端末ＩＤと共に送信することを特徴とする請求項９に記載のセキュリティドアロック解除方法。
【請求項１１】
携帯端末に内蔵された電界通信用トランシーバから端末ＩＤを送信し、
電界通信用の設置型トランシーバにて前記端末ＩＤを受信して認証サーバに転送し、
前記認証サーバにて、前記携帯端末のコンピュータから電界通信にて送信されてきた端末ＩＤを照合し、照合が成立したときに前記設置型トランシーバから暗証番号認証アプリケーションの起動指令を前記携帯端末の電界通信用トランシーバに送信し、
前記携帯端末に内蔵されたコンピュータにより、前記携帯端末の電界通信用トランシーバが前記暗証番号認証アプリケーションの起動指令を受信した時にあらかじめ登録されている暗証番号認証アプリケーションを起動して、前記携帯端末のディスプレイに暗証番号の入力画面を表示させ、前記携帯端末の操作部からの暗証番号入力を受け付け、入力された暗証番号を前記トランシーバを通じて送信し、
電界通信用の設置型トランシーバにて前記暗証番号を受信して認証サーバに転送し、
前記認証サーバにて、前記暗証番号を照合し、照合が成立したときにドアロック解除信号を送出することを特徴とするセキュリティドアロック解除方法。
【請求項１２】
前記携帯端末に内蔵されたコンピュータが、前記携帯端末の電界通信用トランシーバが前記暗証番号認証アプリケーションの起動指令を受信した時にあらかじめ登録されている暗証番号認証アプリケーションを起動して、前記携帯端末のディスプレイに暗証番号の入力画面を表示させ、前記携帯端末の操作部からの暗証番号入力を受け付け、入力された暗証番号を前記トランシーバを通じて送信し、かつ、前記入力された暗証番号をいったん送信した後は一定時間の間だけ前記暗証番号を記憶しておき、前記操作部からの暗証番号入力の受け付けに代えて記憶している暗証番号を呼び出して送信することを特徴とする請求項１１に記載のセキュリティドアロック解除方法。
【発明の詳細な説明】
【技術分野】
【０００１】
本発明は、携帯端末、セキュリティドアロック解除システム及びこれらを利用するセキュリティドアロック解除方法に関する。
【背景技術】
【０００２】
近年、電界通信を行うウェアラブルコンピュータとしてのマイクロチップＣＰＵと電界通信を行うトランシーバとを１枚のカードに組み込んだＩＣカード型の携帯端末が開発されている。特開２００６−８６５８４号公報（特許文献１）にはそのような携帯端末が記載されている。
【０００３】
この従来の携帯端末１０１は、図１２に示すようにユーザ１０２がこれを携帯していれば、ユーザ１０２の体の一部が別の電界通信装置１０３の電界通信電極１０４に触れることで伝送経路１０５が形成され、電界通信を開始し、逆に電界通信電極１０４から離れることで電界通信を終了することができる。
【０００４】
そこで、図１２において、電界通信装置１０３がある部屋の入退出管理装置として、登録されたＩＤの人物しか入退室を許可しないセキュリティサービスを提供するものである場合、次のようにして電界通信技術を利用できる。ユーザ１０２の携帯する携帯端末１０１にはユーザ毎に割当てられたＩＤ番号を登録しておく。そして、電界通信装置１０３のトランシーバ（送受信機）、少なくともその電界通信電極１０４を出入り口のドア１０６あるいはドアの近くの壁に設置しておき、入室を許可されているユーザ１０２のＩＤ番号が登録されている携帯端末１０１であれば、それを携帯しているユーザがドア１０６若しくは壁の電界通信電極１０４にタッチすると携帯端末１０１と電界通信装置１０３との間で電界通信を行い、ＩＤ認証処理を行い、認証が成立すれば電界通信装置１０３がドアロック解除を許可してドアロックを解除させ、当該ユーザ１０２によるドア開操作を可能にしたり、自動ドアを開動させたりする。
【０００５】
このような電界通信ができる携帯端末をユーザに携帯させることで、ユーザに何らかのＩＤ入力操作をさせたりセキュリティＩＣカードを読み取り装置に近づけたり挿入させたりする操作を要求することなく、本来のドアノブに触れるだけでドアロックを外してドアを開ける操作、あるいは自動ドアに向かって近づく動作だけでＩＤ照合を自動的に完了させることができる利便さがある。
【０００６】
ところが、このような電界通信機能を内蔵した携帯端末の場合、ユーザが常時携行するものであるので、ユーザがそれを置き忘れによって紛失したり、ポケットやカバンから気づかずに落下させて紛失したりすることが避けられない。そのような場合に、この電界通信機能を内蔵した携帯端末を拾った他者が正規ユーザになりすましてセキュリティドアのロック解除に使用する可能性がある。
【特許文献１】特開２００６−８６５８４号公報
【発明の開示】
【発明が解決しようとする課題】
【０００７】
本発明は、上記従来技術の課題に鑑みてなされたもので、非正規ユーザのなりすましによるセキュリティドアのロック解除を確実に予防できる携帯端末、セキュリティドアロック解除システム及びセキュリティドアロック解除方法を提供することを目的とする。
【課題を解決するための手段】
【０００８】
請求項１の発明は、電界通信機能を司るトランシーバと、前記トランシーバの電界通信機能を制御するコンピュータと、電界通信用信号電極及びグランド電極と、文字数字入力用の操作部及び情報表示用のディスプレイとを備え、前記コンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をすることを特徴とする携帯端末である。
【０００９】
請求項２の発明は、請求項1の携帯端末において、前記コンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して前記端末ＩＤと共に送信することを特徴とする携帯端末である。
【００１０】
請求項３の発明は、電界通信機能を司るトランシーバと、前記トランシーバの電界通信機能を制御するコンピュータと、電界通信用信号電極及びグランド電極と、文字数字入力用の操作部及び情報表示用のディスプレイとを備え、前記コンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をすることを特徴とする携帯端末である。
【００１１】
請求項４の発明は、請求項３の携帯端末において、前記コンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して送信することを特徴とする携帯端末である。
【００１２】
請求項５の発明は、電界通信機能を司るトランシーバと、前記トランシーバの電界通信機能を制御するコンピュータと、電界通信用信号電極及びグランド電極と、文字数字入力用の操作部及び情報表示用のディスプレイとを備え、前記コンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をする携帯端末と、前記携帯端末に内蔵されたトランシーバとの間で、前記電界通信用信号電極及びグランド電極を利用して電界通信を行う、ＩＤ認証を必要とする場所に設置された電界通信用の設置型トランシーバと、前記設置型トランシーバとネットワークを通じて接続され、セキュリティドアのロック・ロック解除を制御する認証サーバとを備え、前記認証サーバは、前記携帯端末に内蔵されたコンピュータから電界通信にて送信されてきた端末ＩＤと暗証番号とを共に照合し、両照合が成立したときにドアロック解除指令を出力する制御をすることを特徴とするセキュリティドアロック解除システムである。
【００１３】
請求項６の発明は、請求項５のセキュリティドアロック解除システムにおいて、前記携帯端末におけるコンピュータは、前記ディスプレイに暗証番号の入力画面を表示させ、前記操作部からの暗証番号入力を受け付け、あらかじめ登録されている電界通信用の端末ＩＤと共に前記入力された暗証番号を前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して前記端末ＩＤと共に送信することを特徴とするセキュリティドアロック解除システムである。
【００１４】
請求項７の発明は、電界通信機能を司るトランシーバと、前記トランシーバの電界通信機能を制御するコンピュータと、電界通信用信号電極及びグランド電極と、文字数字入力用の操作部及び情報表示用のディスプレイとを備え、前記コンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をする携帯端末と、前記携帯端末に内蔵されたトランシーバとの間で、前記電界通信用信号電極及びグランド電極を利用して電界通信を行う、ＩＤ認証を必要とする場所に設置された電界通信用の設置型トランシーバと、前記設置型トランシーバとネットワークを通じて接続され、セキュリティドアのロック・ロック解除を制御する認証サーバとを備え、前記認証サーバは、前記携帯端末に内蔵されたコンピュータから電界通信にて送信されてきた端末ＩＤを照合し、ＩＤ照合が成立したときに前記電界通信を通じて暗証番号認証アプリケーションの起動指令を送信し、かつ、前記電界通信を通じて暗証番号が送られてきたときに暗証番号を照合し、照合が成立したときにドアロック解除指令を出力する制御をすることを特徴とするセキュリティドアロック解除システムである。
【００１５】
請求項８の発明は、請求項７のセキュリティドアロック解除システムにおいて、前記携帯端末におけるコンピュータは、電界通信の開始時に端末ＩＤを送信し、かつ、電界通信を通じて暗証番号認証アプリケーションの起動指令を受信した時に、あらかじめ組み込まれている暗証番号認証アプリケーションを起動し、前記ディスプレイに暗証番号の入力画面を表示させ、前記操作部からの暗証番号入力を受け付けて前記トランシーバを通じて送信する制御をし、かつ、前記入力された暗証番号をいったん送信した後は一定時間の間だけ前記暗証番号を記憶しておき、前記操作部からの暗証番号入力の受け付けに代えて記憶している暗証番号を呼び出して送信することを特徴とするセキュリティドアロック解除システムである。
【００１６】
請求項９の発明は、携帯端末に内蔵されたコンピュータが、電界通信の最初に、暗証番号認証アプリケーションを起動して、前記携帯端末のディスプレイに暗証番号の入力画面を表示させ、前記携帯端末の操作部からの暗証番号入力を受け付け、入力された暗証番号をあらかじめ登録されている端末ＩＤと共に当該携帯端末に内蔵された電界通信用トランシーバを通じて送信し、電界通信用の設置型トランシーバにて前記端末ＩＤと暗証番号を受信して認証サーバに転送し、認証サーバにて、前記携帯端末のコンピュータから電界通信にて送信されてきた端末ＩＤと暗証番号を照合し、両方の照合が成立したときにドアロック解除信号を送出することを特徴とするセキュリティドアロック解除方法である。
【００１７】
請求項１０の発明は、請求項９のセキュリティドアロック解除方法において、前記携帯端末に内蔵されたコンピュータが、電界通信の最初に、暗証番号認証アプリケーションを起動して、前記携帯端末のディスプレイに暗証番号の入力画面を表示させ、前記携帯端末の操作部からの暗証番号入力を受け付け、入力された暗証番号をあらかじめ登録されている端末ＩＤと共に当該携帯端末に内蔵された電界通信用トランシーバを通じて送信し、かつ、前記入力された暗証番号をいったん送信した後は一定時間の間だけ前記暗証番号を記憶しておき、前記操作部からの暗証番号入力の受け付けに代えて記憶している暗証番号を呼び出して前記端末ＩＤと共に送信することを特徴とするセキュリティドアロック解除方法である。
【００１８】
請求項１１の発明は、携帯端末に内蔵された電界通信用トランシーバから端末ＩＤを送信し、電界通信用の設置型トランシーバにて前記端末ＩＤを受信して認証サーバに転送し、前記認証サーバにて、前記携帯端末のコンピュータから電界通信にて送信されてきた端末ＩＤを照合し、照合が成立したときに前記設置型トランシーバから暗証番号認証アプリケーションの起動指令を前記携帯端末の電界通信用トランシーバに送信し、前記携帯端末に内蔵されたコンピュータにより、前記携帯端末の電界通信用トランシーバが前記暗証番号認証アプリケーションの起動指令を受信した時にあらかじめ登録されている暗証番号認証アプリケーションを起動して、前記携帯端末のディスプレイに暗証番号の入力画面を表示させ、前記携帯端末の操作部からの暗証番号入力を受け付け、入力された暗証番号を前記トランシーバを通じて送信し、電界通信用の設置型トランシーバにて前記暗証番号を受信して認証サーバに転送し、前記認証サーバにて、前記暗証番号を照合し、照合が成立したときにドアロック解除信号を送出することを特徴とするセキュリティドアロック解除方法である。
【００１９】
請求項１２の発明は、請求項１１のセキュリティドアロック解除方法において、前記携帯端末に内蔵されたコンピュータが、前記携帯端末の電界通信用トランシーバが前記暗証番号認証アプリケーションの起動指令を受信した時にあらかじめ登録されている暗証番号認証アプリケーションを起動して、前記携帯端末のディスプレイに暗証番号の入力画面を表示させ、前記携帯端末の操作部からの暗証番号入力を受け付け、入力された暗証番号を前記トランシーバを通じて送信し、かつ、前記入力された暗証番号をいったん送信した後は一定時間の間だけ前記暗証番号を記憶しておき、前記操作部からの暗証番号入力の受け付けに代えて記憶している暗証番号を呼び出して送信することを特徴とするセキュリティドアロック解除方法である。
【発明の効果】
【００２０】
本発明の携帯端末、セキュリティドアロック解除システム及びセキュリティドアロック解除方法によれば、電界通信機能を内蔵した携帯端末を携帯しているユーザがセキュリティドア近くに設置されている電界通信用の電極の上に立つことで携帯端末内のコンピュータと認証サーバとの間で電界通信用のトランシーバを介して電界通信を行い、ＩＤ認証処理を行うだけでなく、さらに、携帯端末のディスプレイにて暗証番号の入力をも促し、ＩＤ番号の認証と共に暗証番号の認証が成立して初めて認証サーバがセキュリティドアのロック解除を許可してドアロックを解除させて自動ドアを開動させたり、あるいは当該ユーザによるドア開操作を可能にしたりすることにより、非正規ユーザのなりすましによるセキュリティドアロックの解除を防止できる。
【発明を実施するための最良の形態】
【００２１】
以下、本発明の実施の形態を図に基づいて詳説する。
【００２２】
＜第１の実施の形態＞本発明の第１の実施の形態の携帯端末、セキュリティドアロック解除システム及びセキュリティドアロック解除方法について説明する。図１は本発明の第１の実施の形態のセキュリティドアロック解除システムに携帯端末として使用する電界通信機能を内蔵した折り畳み式の携帯電話機１１の外観を示し、図２はその内部機能のブロック図である。
【００２３】
図１（ａ）、（ｂ）に示すように、電界通信機能を内蔵した携帯電話機１１は、操作部１１０に対してディスプレイ部１１１が折り畳み開閉回転可能な態様で接続されている。この携帯電話機１１において、ディスプレイ部１１１のディスプレイ１１２に透明な電界通信用の信号電極又はグランド電極の一方（ここでは信号電極１１３とする）を設置し、ディスプレイ部１１１の背面に信号電極とグランド電極との他方（ここではグランド電極１１４）を設置してあり、これらの電極１１３，１１４は後述するトランシーバと電気的に接続してある。
【００２４】
尚、本発明においては、電界通信用の信号電極、グランド電極の設置場所や設置の形態は特に本実施の形態のものに限定されるものではない。また、携帯電話機１１の形式も、図示の折り畳み式だけではなく、スライド式、ディスプレイ回転式、ストレート型等のいずれでもよい。
【００２５】
また、本発明の電界通信機能を内蔵した携帯端末としては、このような携帯電話機に限らず、ＰＤＡのようなコンピュータを内蔵し、操作部、ディスプレイを装備した携帯情報端末や電界通信専用の携帯端末のいずれをも使用することができる。
【００２６】
図２に示すように、携帯電話機１１の内部には、携帯電話通信のための信号処理と諸機能を司る携帯電話部１１５、電源としての電池１１６に加えて、電界通信機能を司るトランシーバ１１７とコンピュータ（マイコン）１１８が組み込まれていて、電界通信用の信号電極（Ｓ）１１３とグランド電極（Ｇ）１１４はトランシーバ１１７に接続されている。
【００２７】
本発明の実施の形態の特徴として、コンピュータ１１８には暗証番号認証アプリケーション１２０が組み込まれていて、後述するようにその暗証番号認証アプリケーション１２０を起動することで、携帯電話部１１５のディスプレイ１１２に暗証番号入力画面を表示させ、また携帯電話部１１５の操作部１１０からの番号入力を受け付けて入力された暗証番号をあらかじめ登録されている端末ＩＤと共にトランシーバ１１７にて送信するようにしてある。
【００２８】
次に、図３を用いて、本実施の形態の携帯電話機１１を電界通信端末として、かつＩＤ認証装置として利用し、セキュリティゾーンのドアロック解除を行う場合の電界通信動作について説明する。セキュリティゾーンのドア５の近くの床に電極６０３が設置してあり、また、電界通信機能を内蔵した携帯電話機１１と電界通信を執り行う相手方の電界通信用トランシーバ６がこの電極６０３に接続してある。さらに、コンピュータで構成される認証サーバ７がこの電界通信用トランシーバ６とＬＡＮのようなネットワークにて接続されている。
【００２９】
電界通信用トランシーバ６は、送信すべき情報に基づく電界を電界伝達媒体である生体に誘起させ、この誘起した電界を利用して情報の送受信を行うトランシーバである。尚、携帯電話機１１の内部の電界通信用のトランシーバ１１７もこれと同様の内部構成である。どちらの電界通信用トランシーバも電界通信信号の送受信方式は電気式、光学式、あるいはその他の方式であってもよく、特に限定されるものではない。
【００３０】
図４に示すように、この電界通信用トランシーバ６は、認証サーバ７からの送信データを入出力（Ｉ／Ｏ）回路６０１を介して受け取ると、この送信データを送信部６０２を介して送受信電極６０３に供給し、該送受信電極６０３及び絶縁膜６０４を介して電界伝達媒体Ａに電界を誘起させ、この電界を電界伝達媒体Ａの他の部位に伝達させる。また逆に、電界伝達媒体Ａに誘起されて伝達されてくる電界を絶縁膜６０４を介して送受信電極６０３で検出し、この電界の変化に対して信号処理回路６０６にて増幅、雑音除去などの信号処理を施し、さらに波形整形回路６０７で波形整形してから入出力（Ｉ／Ｏ）回路６０１を介して認証サーバ７に出力する。
【００３１】
認証サーバ７は、信号送受信部７１、ＩＤ照合、セキュリティドア制御、その他の必要な演算制御をあらかじめ登録されているプログラムにしたがって実行する制御部７２、正規資格者の電界通信端末それぞれのＩＤ番号、暗証番号を保持しているＩＤ−ＰＷＤ記憶部７３、複数の電界通信端末１１との電界通信のログ、セキュリティドア５の制御ログ等を保持するログ情報記憶部７４を備えている。
【００３２】
この認証サーバ７は後述するＩＤ及び暗証番号の照合が成立すればセキュリティドア５のドアロックの解除制御を行う。
【００３３】
このドアロックの解除制御について、図３の説明図と図５のフローチャートを用いて詳しく説明する。セキュリティゾーンのセキュリティドア５にユーザＡが近づいて電界通信用トランシーバ６の電極６０３の上に立てば電界通信により、以下のＩＤ、暗証番号の照合処理を開始してセキュリティドア５のドアロックの解除制御が行われる。本実施の形態の認証システムの場合、ユーザＡは電界通信機能内蔵の携帯電話機１１を手に持って操作する必要がある。
【００３４】
ユーザＡが電界通信用トランシーバ６の電極６０３の上に立つことにより、携帯電話機１１のトランシーバ１１７と設置型トランシーバ６との間でユーザＡの生体を介して電界通信が開始される（ＳＱ１１）。
【００３５】
電界通信が開始されると、携帯電話機１１内蔵のコンピュータ１１８はあらかじめ組み込まれている暗証番号認証アプリケーション１２０を起動し、携帯電話機１１のディスプレイ部１１１のディスプレイ１１２に暗証番号入力画面を表示する（ＳＱ１２）。
【００３６】
そこで、ユーザＡが暗証番号入力画面を見て、操作部１１０からなんらかの暗証番号を入力すると（ＳＱ１３）、コンピュータ１１８はその入力された暗証番号を端末毎にあらかじめ組み込まれている端末ＩＤと共にトランシーバ１１７を通じて送信する（ＳＱ１４）。
【００３７】
認証サーバ７は、トランシーバ６を通じてこの端末ＩＤと暗証番号を受信すると、この端末ＩＤと暗証番号をあらかじめ登録されている当該携帯電話機１１の電界通信機能の端末ＩＤ、またユーザＡの設定した暗証番号であるか否かを照合する（ＳＱ１５）。そして、端末ＩＤとそれに対応するユーザＡの暗証番号の照合が成立すれば、ドアロックの解除処理を行う（ＳＱ１６，ＳＱ１７）。
【００３８】
しかしながら、端末ＩＤの照合が成立せず、あるいは暗証番号の照合が成立しなければ、照合不成立の通知を携帯電話機１１に向けて送信する（ＳＱ１８）。
【００３９】
携帯電話機１１側では、この照合不成立の通知を受信すると、コンピュータ１１８は暗証番号認証アプリケーション１２０を強制的に終了させる（ＳＱ１９）。
【００４０】
これにより、本実施の形態の携帯端末、セキュリティドアロック解除システム及び方法によれば、電界通信機能を内蔵した携帯電話機１１を携帯しているユーザＡがセキュリティドア５の近くの床に設置されている電界通信電極６０３の上に立つことで携帯電話機１１内のコンピュータ１１８と認証サーバ７との間で設置型トランシーバ６及び内蔵型トランシーバ１１７を介して電界通信を開始しＩＤ認証処理を行うだけでなく、さらに、携帯電話機１１のディスプレイ１１２にて暗証番号の入力をも促し、ＩＤ番号の照合と共に暗証番号の照合が成立して初めて認証サーバ７がセキュリティドア５をロック解除して自動ドアを開動させたり、あるいは当該ユーザによるドア開操作を可能にしたりするので、非正規ユーザのなりすましによるセキュリティドアロックの解除を確実に防止できる。
【００４１】
＜第２の実施の形態＞次に、本発明の第２の実施の形態の携帯端末、セキュリティドアロック解除システム及びセキュリティドアロック解除方法について、図６〜図９のフローチャートを参照して説明する。本実施の形態の特徴は、携帯電話機１１の内蔵するコンピュータ１１８に組み込まれている暗証番号認証アプリケーション１２０の内容が以下に説明するように第１の実施の形態のものと異なる点にあり、その他の構成は第１の実施の形態と共通である。
【００４２】
本実施の形態の場合、認証サーバ７が電界通信にて携帯端末としての携帯電話機１１側のコンピュータ１１８から端末ＩＤを受信して照合し、照合が成立したときに携帯電話機１１側に暗証番号認証アプリケーション１２０を起動させる指令を送信し、携帯電話機１１側のコンピュータ１１８はこの指令を受けてあらかじめ組み込まれている暗証番号認証アプリケーション１２０を起動して暗証番号の入力画面を表示させるようにしている。
【００４３】
すなわち、図６のフローチャートに示すように、携帯電話機１１を携帯しているユーザＡが設置型の電界通信用トランシーバ６の電極６０３の上に立つことにより、携帯電話機１１のトランシーバ１１７と設置型トランシーバ６との間で電界通信が開始される。そして電界通信が開始されると、携帯電話機１１内蔵のコンピュータ１１８はあらかじめ組み込まれている端末ＩＤを認証サーバ７にトランシーバ１１７を通じて送信する（ＳＱ２１）。
【００４４】
認証サーバ７は、設置型トランシーバ６を通じてこの端末ＩＤを受信すると、この端末ＩＤをあらかじめ登録されている携帯端末の端末ＩＤであるか否かを照合する。そして、端末ＩＤの認証が成立すれば、暗証番号認証アプリケーションの起動指令をトランシーバ６を通じて携帯電話機１１側に送信する。端末ＩＤの認証が成立し、認証サーバ７から暗証番号認証アプリケーションの起動指令を受信した携帯電話機１１のコンピュータ１１８は、あらかじめ組み込まれている暗証番号認証アプリケーション１２０を起動し、暗証番号の入力画面を携帯電話機１１のディスプレイ１１２に表示する（ＳＱ２２）。
【００４５】
この後、ユーザＡが暗証番号入力画面を見て、暗証番号の認証処理が終了するまで、認証サーバ７は携帯電話機１１側に接続確認を送信し（ＳＱ２３）、携帯電話機１１側は接続確認応答を送信する（ＳＱ２４）。そして、この接続確認送信と接続確認応答送信とは、暗証番号が送信されるまで周期的に繰り返される（ＳＱ２５〜ＳＱ２８）。
【００４６】
ユーザＡが暗証番号入力画面を見て、操作部１１０からなんらかの暗証番号を入力すると、コンピュータ１１８はその送られてきた暗証番号をトランシーバ１１７を通じて送信する（ＳＱ２９）。
【００４７】
認証サーバ７は、設置型トランシーバ６を通じてこの暗証番号を受信すると、暗証番号をあらかじめ登録されている当該携帯電話機１１の暗証番号であるか否かを照合し、ユーザＡの正規の暗証番号であると認証すれば暗証番号認証成立を通知し、携帯電話機１１側では暗証番号認証アプリケーションを終了する（ＳＱ２１０）。そして、認証サーバ７は、セキュリティドア５のドアロック解除を指令し、自動ドアを開動させたり、あるいは当該ユーザによるドア開操作を可能にしたりする。
【００４８】
携帯電話機１１側で暗証番号認証アプリケーションを起動した後、ユーザＡが電極６０３から離れて電界通信できなくなった場合、図７のシーケンスによりこのアプリケーションを終了してセキュリティドアロック解除ができないようにする。この場合、携帯電話機１１を携帯しているユーザＡが設置型の電界通信用トランシーバ６の電極６０３の上に立つことにより、携帯電話機１１のトランシーバ１１７と設置型トランシーバ６との間で電界通信が開始される。そして電界通信が開始されると、携帯電話機１１内蔵のコンピュータ１１８はあらかじめ組み込まれている端末ＩＤを認証サーバ７にトランシーバ１１７を通じて送信する（ＳＱ２１）。
【００４９】
認証サーバ７は、設置型トランシーバ６を通じてこの端末ＩＤを受信し、端末ＩＤの認証が成立すれば暗証番号認証アプリケーションの起動指令をトランシーバ６を通じて携帯電話機１１側に送信し、携帯電話機１１のコンピュータ１１８は暗証番号認証アプリケーション１２０を起動し、暗証番号の入力画面を携帯電話機１１のディスプレイ１１２に表示する（ＳＱ２２）。
【００５０】
この後、ユーザＡが暗証番号入力画面を見て、暗証番号の認証処理が終了するまで、認証サーバ７は携帯電話機１１側に接続確認を送信し（ＳＱ２３）、携帯電話機１１側は接続確認応答を送信する（ＳＱ２４）。
【００５１】
この後に、ユーザＡが電極６０３から離れて電界通信できなくなったとする。この場合でも、認証サーバ７は所定時間の間、接続確認送信を繰り返す（ＳＱ２５，ＳＱ２７，ＳＱ２１１）。そして、所定時間の接続確認送信に対して携帯電話機１１側から接続確認応答が来なくなると、認証サーバ７は電界通信を中断する。一方、携帯電話機１１側も、電界通信が中断して認証サーバ７からの接続確認が一定時間以上受信できなくなると、暗証番号認証アプリケーション１２０を終了する。
【００５２】
携帯電話機１１側から端末ＩＤを送信しても、認証サーバ７側で端末ＩＤの認証が成立しない場合、図８に示すシーケンスにて直ちに電界通信を中断する。すなわち、携帯電話機１１を携帯しているユーザＡが設置型の電界通信用トランシーバ６の電極６０３の上に立ち、携帯電話機１１のトランシーバ１１７と設置型トランシーバ６との間で電界通信が開始されると、携帯電話機１１内蔵のコンピュータ１１８はあらかじめ組み込まれている端末ＩＤを認証サーバ７に送信する。認証サーバ７は受信した端末ＩＤを登録してある端末ＩＤと照合するが、端末ＩＤの認証が成立しなければ、その後の電界通信を終了する（ＳＱ２１）。
【００５３】
次に、図９のシーケンスを用いて、ユーザＡが入力する暗証番号の認証が不成立の場合について説明する。携帯電話機１１を携帯しているユーザＡが設置型の電界通信用トランシーバ６の電極６０３の上に立ち、携帯電話機１１のトランシーバ１１７と設置型トランシーバ６との間で電界通信が開始されると、携帯電話機１１内蔵のコンピュータ１１８はあらかじめ組み込まれている端末ＩＤを認証サーバ７に送信する。認証サーバ７は受信した端末ＩＤを登録してある端末ＩＤと照合する（ＳＱ２１）。
【００５４】
認証サーバ７は、端末ＩＤの認証が成立すれば暗証番号認証アプリケーションの起動指令を携帯電話機１１側に送信し、携帯電話機１１のコンピュータ１１８は暗証番号認証アプリケーション１２０を起動し、暗証番号の入力画面を携帯電話機１１のディスプレイ１１２に表示する（ＳＱ２２）。
【００５５】
この後、ユーザＡが暗証番号入力画面を見て、暗証番号の認証処理が終了するまで、認証サーバ７は携帯電話機１１側に繰り返し接続確認を送信し、携帯電話機１１側は接続確認応答を繰り返し送信する（ＳＱ２３〜ＳＱ２８）。
【００５６】
ユーザＡが暗証番号入力画面を見て、操作部１１０からなんらかの暗証番号を入力すると、コンピュータ１１８はその送られてきた暗証番号をトランシーバ１１７を通じて送信する（ＳＱ２９）。
【００５７】
認証サーバ７は、設置型トランシーバ６を通じてこの暗証番号を受信すると、それをあらかじめ登録されている正規のユーザの暗証番号であるか否かを認証する。そして暗証番号の認証が不成立であれば、暗証番号認証不成立を通知し、ユーザＡに暗証番号を再度入力するように促す（ＳＱ２１２）。
【００５８】
ユーザＡが正規の資格をもたず、それ故に正しい暗証番号を知らず、繰り返し暗証番号を入力して送信すると、認証サーバ７は暗証番号認証不成立が所定回数、例えば、３回繰り返されると認証処理を終了する。また、携帯電話機１１側のコンピュータ１１７でも、暗証番号の入力操作が所定回数まで繰り返されると、暗証番号認証アプリケーションを終了する（ＳＱ２１４〜ＳＱ２１６）。
【００５９】
これにより、本実施の形態の携帯端末、セキュリティドアロック解除システム及びセキュリティドアロック解除方法によっても、電界通信機能を内蔵した携帯電話機１１を携帯しているユーザＡがセキュリティドア５の前の床に設置されている電界通信電極６０３の上に立つことで携帯電話機１１内のコンピュータ１１８と認証サーバ７との間で設置型トランシーバ６及び内蔵型トランシーバ１１７を介して電界通信を行い、ＩＤ認証処理を行うだけでなく、さらに、携帯電話機１１のディスプレイ１１２にて暗証番号の入力をも促し、ＩＤ番号の認証だけでなく、正規のユーザがあらかじめ登録している暗証番号の認証が成立して初めて認証サーバ７がセキュリティドア５をロック解除して自動ドアを開動させたり、あるいは当該ユーザによるドア開操作を可能にしたりするので、非正規ユーザのなりすましによるセキュリティドアロックの解除を確実に防止できる。
【００６０】
尚、本実施の形態にあって、暗証番号の再入力は３回まで許容することにしたが、これに限定されるものではない。
【００６１】
＜第３の実施の形態＞次に、本発明の第３の実施の形態の携帯端末、セキュリティドアロック解除システム及びセキュリティドアロック解除方法について説明する。本実施の形態の特徴は、携帯端末としての携帯電話機１１が端末ＩＤと暗証番号との認証がいったん成立した時には、端末側で暗証番号を保持していて、ロック解除後タイマにてカウントし、一定時間経過するまではロック解除のためにセキュリティドア５の前でユーザが暗証番号を手入力しなくても、端末側が記憶している暗証番号を自動的に再入力して、端末ＩＤの認証成立だけで認証サーバ７がセキュリティドアのロック解除を行うことを特徴とする。
【００６２】
そこで、携帯端末である携帯電話機１１は、その電界通信制御用のコンピュータ１１８に次の処理を実行する暗証番号認証アプリケーション１２０と共に暗証番号を記憶する機能も備えている。
【００６３】
そして、携帯電話機１１は認証サーバ７との電界通信を開始した時、第１の実施の形態と同様に図５のシーケンス図の手順で認証サーバ７との間で電界通信を用いてデータ送受信を行う。その場合に、図１０のフローチャートの手順にて端末ＩＤと暗証番号とを認証サーバに送信する。図１０のフローチャートは、認証サーバ７との電界通信を開始することでスタートする。そして最初に暗証番号認証アプリケーション１２０を起動し、タイマがカウントアップしていないかどうか判断する（ＳＴ１１）。このタイマは、先に暗証番号が手入力され、端末ＩＤと共に送信された時にカウントを開始し、所定時間、例えば３時間でタイムアップする。
【００６４】
タイマがタイムアップしていれば、第１の実施の形態と同様に、ユーザＡに暗証番号を入力させる（ＳＴ１２，ＳＴ１３，ＳＴ１４）。そして暗証番号が入力されれば、端末ＩＤと暗証番号とを共に認証サーバ７に送信する。このとき、送信した暗証番号を記憶しておく（ＳＴ１５）。その後にタイマのタイムカウントを開始させ（ＳＴ１６）、さらにその後に、端末ＩＤ、暗証番号の認証手続が完了しドアロックが解除されれば暗証番号認証アプリケーション１２０を終了する（ＳＴ１７）。
【００６５】
一方、暗証番号認証アプリケーション１２０を起動した時にタイマがタイムアップしていなければ、コンピュータ１１８は記憶している暗証番号を呼び出し（ＳＴ１２，ＳＴ１８）、端末ＩＤと共に呼び出した暗証番号を認証サーバ７に送信する（ＳＴ１９）。その後に、端末ＩＤ、暗証番号の認証手続が完了しドアロックが解除されれば暗証番号認証アプリケーション１２０を終了する（ＳＴ１７）。
【００６６】
本実施の形態によれば、携帯端末としての携帯電話機１１の端末ＩＤと暗証番号との認証がいったん成立した時には、その後、一定時間経過するまではロック解除のためにセキュリティドア５の前でユーザが暗証番号を手入力しなくても、端末側が記憶している暗証番号を自動的に再入力してセキュリティドアのロック解除を行うことができ、ユーザＡがセキュリティドア５の前に立つ度に暗証番号を手入力する煩わしさを解消でき、しかも、一定時間が経過すれば暗証番号の手入力を要求するようになるので、非正規のユーザによるなりすましも防止できる。
【００６７】
＜第４の実施の形態＞次に、本発明の第４の実施の形態の携帯端末、セキュリティドアロック解除システム及びセキュリティドアロック解除方法について説明する。本実施の形態の特徴も、携帯端末としての携帯電話機１１が端末ＩＤと暗証番号との認証がいったん成立した時には、端末側で暗証番号を保持していて、ロック解除後タイマにてカウントし、一定時間経過するまではロック解除のためにセキュリティドア５の前でユーザが暗証番号を手入力しなくても、端末側が記憶している暗証番号を自動的に再入力して、端末ＩＤの認証成立だけで認証サーバ７がセキュリティドアのロック解除を行うことを特徴とする。
【００６８】
そこで、携帯端末である携帯電話機１１は、その電界通信制御用のコンピュータ１１８に次の処理を実行する暗証番号認証アプリケーション１２０と共に暗証番号を記憶する機能も備えている。
【００６９】
そして、携帯電話機１１は認証サーバ７との電界通信を開始した時、第２の実施の形態と同様に図６のシーケンス図の手順で認証サーバ７との間で電界通信を用いてデータ送受信を行う。そして電界通信を開始すると、携帯電話機１１側のコンピュータは図１１に示すフローチャートの処理を開始する。
【００７０】
そして、最初に携帯電話機１１側のコンピュータ１１８はあらかじめ登録されている端末ＩＤを認証サーバ７に送信する（ＳＴ２１）。認証サーバ７側で端末ＩＤの認証が成立すれば、暗証番号認証アプリケーション起動指令を携帯電話機１１側に送信してくるので、携帯電話機１１側のコンピュータ１１８は、この暗証番号認証アプリケーション起動指令を受信すると、あらかじめ保持している暗証番号認証アプリケーション１２０を起動し、タイマがカウントアップしていないかどうか判断する（ＳＴ２２，ＳＴ２３）。このタイマは、先に暗証番号が手入力され、端末ＩＤと共に送信された時にカウントを開始し、所定時間、例えば３時間でタイムアップする。
【００７１】
タイマがタイムアップしていれば、第２の実施の形態と同様に、ユーザＡに暗証番号を入力させる（ＳＴ２４）。暗証番号が入力されれば、その暗証番号を認証サーバ７に送信する（ＳＴ２５）。このとき、送信した暗証番号を記憶しておく（ＳＴ２６）。その後にタイマのタイムカウントを開始させ（ＳＴ２７）、さらにその後に、暗証番号の認証手続が完了しドアロックが解除されれば暗証番号認証アプリケーション１２０を終了する（ＳＴ２８）。
【００７２】
一方、暗証番号認証アプリケーション１２０を起動した時にタイマがタイムアップしていなければ、コンピュータ１１８は記憶している暗証番号を呼び出し（ＳＴ２３，ＳＴ２９）、暗証番号を認証サーバ７に送信する（ＳＴ２１０）。そして、暗証番号の認証手続が完了しドアロックが解除されれば暗証番号認証アプリケーション１２０を終了する（ＳＴ２８）。
【００７３】
本実施の形態によれば、携帯端末としての携帯電話機１１の端末ＩＤと暗証番号との認証がいったん成立した時には、その後、一定時間経過するまではロック解除のためにセキュリティドア５の前でユーザが暗証番号を手入力しなくても、端末側が記憶している暗証番号を自動的に再入力してセキュリティドアのロック解除を行うことができ、ユーザＡがセキュリティドア５の前に立つ度に暗証番号を手入力する煩わしさを解消でき、しかも、一定時間が経過すれば暗証番号の手入力を要求するようになるので、非正規のユーザによるなりすましも防止できる。
【００７４】
＜他の実施の形態＞
以上、本発明の実施の形態について説明してきたが、本発明の要旨を逸脱しない範囲において、本発明の実施の形態に対して種々の変形や変更を施すことができる。
【図面の簡単な説明】
【００７５】
【図１】図１（ａ），（ｂ）は、本発明の１つの実施の形態のセキュリティドアロック解除システムに使用する携帯端末としての電界通信内蔵の携帯電話機の折り畳み状態の側面図及び展開状態の側面図。
【図２】図２は、上記実施の形態の携帯端末の回路ブロック図。
【図３】図３は、上記実施の形態の携帯端末を使用するセキュリティドアロック解除システムのブロック図。
【図４】図４は、上記実施の形態のセキュリティドアロック解除システムにおける設置型トランシーバと認証サーバのブロック図。
【図５】図５は、上記実施の形態のセキュリティドアロック解除システムによるセキュリティドアロック解除方法のシーケンス図。
【図６】図６は、本発明の第２の実施の形態のセキュリティドアロック解除システムによるセキュリティドアロック解除方法のシーケンス図。
【図７】図７は、本発明の第２の実施の形態のセキュリティドアロック解除システムによる端末認証中断時のシーケンス図。
【図８】図８は、本発明の第２の実施の形態のセキュリティドアロック解除システムによる端末ＩＤの認証不成立時のシーケンス図。
【図９】図９は、本発明の第２の実施の形態のセキュリティドアロック解除システムによるユーザの暗証番号認証不成立時のシーケンス図。
【図１０】図１０は、本発明の第３の実施の形態の携帯端末が実行するセキュリティドアロック解除動作のフローチャート図。
【図１１】図１１は、本発明の第４の実施の形態の携帯端末が実行するセキュリティドアロック解除動作のフローチャート図。
【図１２】図１２は、従来の電界通信システムの説明図。
【符号の説明】
【００７６】
５  セキュリティドア
６  トランシーバ
７  認証サーバ
１１  携帯電話機
１１０  操作部
１１１  ディスプレイ部
１１２  ディスプレイ
１１３  信号電極
１１４  グランド電極
１１５  携帯電話部
１１６  電池
１１７  トランシーバ
１１８  コンピュータ
１２０  暗証番号認証アプリケーション
Ａ  ユーザ（電界伝達媒体）
【図１】
2010088053.tif 000003
【図２】
2010088053.tif 000004
【図３】
2010088053.tif 000005
【図４】
2010088053.tif 000006
【図５】
2010088053.tif 000007
【図６】
2010088053.tif 000008
【図７】
2010088053.tif 000009
【図８】
2010088053.tif 000010
【図９】
2010088053.tif 000011
【図１０】
2010088053.tif 000012
【図１１】
2010088053.tif 000013
【図１２】
2010088053.tif 000014